(57)【要約】      （修正有）【課題】簡単な靴の口元防水構造を提供する。【解決手段】靴の口元防水構造であり、靴の耳部２と、靴の舌部３と、及びライニング４とが靴の口元付近に第１防水構造および第２防水構造を設けることにより、浸水問題を解決する。第１防水構造は、靴の舌部フィンの後端部および靴の耳部２の後端部に少なくとも１つの防水ラインを縫いつける。第２防水構造は、靴の最上層の靴の耳部２と中間層の靴の舌部３とを少なくとも１つの靴の舌部固定ライン６で縫いつける。その後、下層のライニング４は防水接着剤で封止されている。【選択図】図３
0003217346.tif 000002
【実用新案登録請求の範囲】
【請求項１】
一種の靴の口元防水構造であり、靴の耳部と、靴の舌部と、及びライニングとが靴の口元付近に第１防水構造および第２防水構造を設け、前記第１防水構造は前記靴の舌部フィン端部と前記靴の耳部裏片端部に防水ラインを縫い付け、前記第２防水構造は前記靴の舌固定ラインにより、前記靴の耳部及び前記靴の舌部を縫いつけて固定し、前記ライニングを防水接着剤で封止することを特徴とする、靴の口元防水構造。
【考案の詳細な説明】
【技術分野】
【０００１】
本考案は靴に関し、特に靴の口元の防水構造に関する。
【０００２】
図１を参照すると、靴の舌部は靴ひもと甲の間の部分を指す。その形状は舌のようなものなので、靴の舌と呼ばれ、甲を保護して摩擦を避ける機能を持っている。靴の耳部（facing）はアイピースとしても知られ、アイレット(eyelets)の垂直断面を指す。通常、靴の舌部と靴の耳部は、Ｕ字形の舌部固定ラインで口元（throat）に縫って固定される。靴の舌部の側部は靴の耳部に縫い付けられていないので、靴の舌部は移動しやすい。砂の異物や水がこの開口部を通って容易に靴に入ることがある。この問題を解決するために、ベローズタイプ舌部が生まれた。すなわち、靴の舌部の両側は外側に向かってフィンに延び、靴の舌部フィンの開放端は靴の耳部の内側に縫い付けられて固定される。フィンの封止効果により、靴の舌部のずれや砂中の異物や水が靴内に滲入するのを防止する目的を達成できる。
【０００３】
従来の靴の構造は、２つの場所での浸水の発生を引き起こす。その１はフィンと靴の耳部裏片との間に縫い付けられ、固定された端部には縫い目が到達できないため、形成された抜け穴がある。水がフィンに沿って靴の中に流れ込むことを可能にする。その２は、従来のＵ字型の靴の舌部固定ラインが、最上層の靴の耳部、中間層の靴の舌部、および下層のライニングを一緒に固定するために縫い付けることである。したがって、縫製針が通る穴は、靴の中に水が浸入する別の経路になる。上述の浸水問題を解決するために、防水ソックス層を追加することは、現在、比較的一般的な慣行である。簡単に言えば、靴の内側にＧＯＲＥ−ＴＥＸ防水フィルムを重ねることですが、価格は必然的に高くなる。
【０００４】
本出願人は、履物の専門メーカーであり、上記靴の口元付近の浸水問題を考慮して、簡単な防水構造を開発した。
【０００５】
即ち、本考案は一種の靴の口元防水構造を提供し、第１防水構造と第２防水構造とが靴の口元付近に浸水する問題を解決する靴の耳部、靴の舌部、ライニングをベースとしている。第１防水構造は、靴の舌部フィンの尾端部と靴の耳部裏片の後端部に横向きに少なくとも１つの防水ラインを縫い付ける。第２防水構造では、まず、最上層の靴の舌部と中間層の舌部をＵ字型の靴の舌部固定ラインで固定し、下層のライニングを防水接着剤で封止する。
【考案の概要】
【考案が解決しようとする課題】
【０００６】
通常、靴の舌部と靴の耳部は、Ｕ字形の舌部固定ラインで口元（throat）に縫って固定される。靴の舌部の側部は靴の耳部に縫い付けられていないので、靴の舌部は移動しやすい。砂の異物や水がこの開口部を通って容易に靴に入ることがある
【０００７】
前記課題を解決するため、本考案の考案者は数々の研究改良を経て、ついに本考案の靴の口元防水構造を提供する。
【課題を解決するための手段】
【０００８】
前記目的を達成するために、本考案は一種の靴の口元防水構造を提供し、本考案の靴の口元防水構造は靴の耳部２と、靴の舌部３と、およびライニング４と、が靴面１の靴の舌部３に近接する靴の口元１１付近で第１防水構造および第２防水構造により、浸水問題を解決する。
【０００９】
靴の舌部の両側は外側に向かってフィンに延び、靴の舌部フィンの開放端は靴の耳部の内側に縫い付けられて固定される。フィンの封止効果により、靴の舌部のずれや砂中の異物や水が靴内に滲入するのを防止する目的を達成できる。
【考案の効果】
【００１０】
第１および第２の防水構造により、靴の口元付近の浸水問題が、簡単かつ効果的かつ非常に経済的に解決される。
【図面の簡単な説明】
【００１１】
【図１】本考案の外観を示す図である。
【図２】本考案の第１防水構造を示す図である。
【図３】本考案の第２防水構造を示す図である。
【図４】本考案のライニングの封止後の概略図である。
【考案を実施するための形態】
【００１２】
次に、本考案のその他の効果及び技術特徴についての説明に入る。本技術の熟知者は、以下の説明を読めば本考案の実現が可能となる。
【００１３】
以下の説明および図面は、本考案の特徴によって開示された実施形態であり、本考案の構造技術および特徴範囲をより容易に理解することができる。
【００１４】
図１乃至図４を参照して、本考案は、靴の耳部２と、靴の舌部３と、およびライニング４と、が靴面１の靴の舌部３に近接する靴の口元１１付近で第１防水構造および第２防水構造により、浸水問題を解決する。
【００１５】
図２は、図１に示している靴面１を上方に返して、靴面１の下の第１防水構造を示す図である。第１防水構造の目的は靴の舌部フィン３１の端部と靴の耳部裏片２１の後端部との間の抜け穴によって引き起こされる浸水問題を解決するためである。解決策は、靴の舌部フィン３１の端部と靴の耳部裏片２１の端部とに横向きに少なくとも１つの防水ラインを縫い付け、上述抜け穴を封じることによって、防水効果を達成できる。
【００１６】
図３は、図１に示す靴面１を上方に返した後に示す靴面１の下部にある第２防水構造である。第２防水構造の目的は、Ｕ字型の靴の舌部固定ライン６が、最上層の靴の耳部２、中間層の靴の舌部３および下層のライニング４を一緒に固定し、縫製針が通る針穴が浸水の経路になることを解決することである。解決策は、Ｕ字形の靴の舌部固定ライン６により、最上層の靴の耳部２および中間層の靴の舌部３を縫い付けて固定することである。図４に示すように、下層のライニング４は防水性の接着剤（図示せず）で封止されているので、水は縫製針が通る針穴を通って下に浸水しないため、防水効果が得られる。
【００１７】
上記第１および第２の防水構造では、靴の口元付近の浸水問題が、簡単かつ効果的かつ非常に経済的に解決される。しかし、本考案の技術的内容と技術的特徴は上記のように明らかにされているが、技術に精通している人は、本考案の開示に基づいて本考案の創造的精神から逸脱しない様々な代替や変更を行うことができます。したがって、本考案の保護の範囲は、実施例に開示されたものに限定されるべきではなく、本考案から逸脱しない様々な置換および修飾を含み、本実用新案請求項の範疇によってカバーされるべきである。
【符号の説明】
【００１８】
１靴面
１１靴の口元
２靴の耳部
２１靴の耳部裏片
３靴の舌部
３１靴の舌部フィン
４ライニング
５防水ライン
６靴の舌部固定ライン
【図１】
0003217346.tif 000003
【図２】
0003217346.tif 000004
【図３】
0003217346.tif 000005
【図４】
0003217346.tif 000006